(57)【特許請求の範囲】
【請求項１】
光源と、
上記光源から出射された光が透過する平板状の照明板と、
上記照明板の周囲を把持する照明板枠体部と、
上記照明板枠体部を跨ぐように両端が上記照明板枠体部に支持されており、上記光源を保持する光源保持部とを備え、
上記照明板枠体部は、天蓋及びフレームを含む既設の照明装置における照明板を保持する用途で、上記フレームに取り付けられている照明板保持具と嵌合可能なサイズで形成されるとともに、上記照明板枠体部及び上記光源保持部は、上記既設の照明装置の上記天蓋と上記フレームとの空間に上記フレーム側から挿入可能であることを特徴とするエレベータかごの照明装置。
【請求項２】
光源と、
上記光源から出射された光が透過する平板状の照明板と、
上記照明板の周囲を把持する枠体及び上記光源を保持する平板を有している箱状の収納体とを備え、
上記収納体の枠体は、天蓋及びフレームを含む既設の照明装置における照明板を保持する用途で、上記フレームに取り付けられている照明板保持具と嵌合可能なサイズで形成されるとともに、上記枠体及び上記収納体は、上記既設の照明装置の上記天蓋と上記フレームとの空間に上記フレーム側から挿入可能であることを特徴とするエレベータかごの照明装置。
【請求項３】
光源と、
上記光源から出射された光が端面から入射されると、上記光を拡散させて表面から均一な光を発光する導光板と、
上記導光板の周囲を把持するとともに、上記光源を保持する導光板枠体部とを備え、
上記導光板枠体部は、天蓋及びフレームを含む既設の照明装置における照明板を保持する用途で、上記フレームに取り付けられている照明板保持具と嵌合可能なサイズで形成されるとともに、上記導光板枠体部は、上記既設の照明装置の上記天蓋と上記フレームとの空間に上記フレーム側から挿入可能であることを特徴とするエレベータかごの照明装置。
【請求項４】
均一な光を発光する平板状の光源と、上記光源を保持する枠体部とを備え、
導光板は、天蓋及びフレームを含む既設の照明装置における照明板を保持する用途で、上記フレームに取り付けられている照明板保持具と嵌合可能なサイズで形成されるとともに、上記導光板は、上記既設の照明装置の上記天蓋と上記フレームとの空間に上記フレーム側から挿入可能であることを特徴とするエレベータかごの照明装置。
【請求項５】
複数の上記光源が規則的な配列で保持されており、
隣り合う光源間の距離が、最も端部側に配置される光源から端部までの距離の２倍であることを特徴とする請求項１記載のエレベータかごの照明装置。
【請求項６】
複数の上記光源が規則的な配列で保持されており、
隣り合う光源間の距離が、最も端部側に配置される光源から端部までの距離の２倍であることを特徴とする請求項２記載のエレベータかごの照明装置。
【請求項７】
既設の照明装置に施されているネジ穴に固定可能な電源装置を備え、
上記電源装置から上記光源に電力が供給されることを特徴とする請求項１記載のエレベータかごの照明装置。
【請求項８】
既設の照明装置に施されているネジ穴に固定可能な電源装置を備え、
上記電源装置から上記光源に電力が供給されることを特徴とする請求項２記載のエレベータかごの照明装置。
【請求項９】
既設の照明装置に施されているネジ穴に固定可能な電源装置を備え、
上記電源装置から上記光源に電力が供給されることを特徴とする請求項３記載のエレベータかごの照明装置。
【請求項１０】
既設の照明装置に施されているネジ穴に固定可能な電源装置を備え、
上記電源装置から上記光源に電力が供給されることを特徴とする請求項４記載のエレベータかごの照明装置。
【請求項１１】
天蓋及びフレームを含む既設の照明装置の照明板保持具に保持されている照明板を取り外す照明板取り外しステップと、
上記照明板取り外しステップで上記照明板が取り外された後、請求項１記載の照明板枠体部、請求項２記載の収納体、請求項３記載の導光板枠体部、または、請求項４記載の導光板のいずれか１つを、上記既設の照明装置の上記天蓋と上記フレームとの空間に上記フレーム側から挿入した上で、上記照明板保持具に嵌合させる取り付けステップと
からなる照明装置の交換方法。
【発明の詳細な説明】
【技術分野】
【０００１】
この発明は、エレベータのかごに設置されている既設の照明装置の改装に適している照明装置及び照明装置の交換方法に関するものである。
【背景技術】
【０００２】
エレベータのかごに設置されている既設の照明装置の光源の大部分は蛍光灯であり、近年、消費電力の観点等から、既設の照明装置を光源がＬＥＤの照明装置に取り換える需要が増加している。
既設の照明装置をＬＥＤの照明装置に取り換える場合、一般的に、既設の照明装置を下記に示すような手順で撤去してから、ＬＥＤの照明装置を取り付ける工事が行われる。
【０００３】
［既設の照明装置の撤去］
（１）照明板（照明装置の表面にある乳白色のカバー）の撤去
（２）蛍光灯の撤去
（３）フレームの撤去
（４）天蓋（天井裏部品）の撤去
［ＬＥＤの照明装置の取付］
（１）ＬＥＤ付の天蓋の取付
（２）フレームの取付
（３）照明板の取付
上記のような工程による照明装置の交換工事では、一般的に、２．５時間程度の作業時間を要する。
ただし、フレームと天蓋が一体化されている場合には、フレーム及び天蓋の撤去・取付は、それぞれ１つの工程である。
【０００４】
なお、複数のＬＥＤをパッケージ化して、ＬＥＤを容易に交換できるようにしている照明装置については、以下の特許文献１に開示されているが、光源が蛍光灯である既設の照明装置を容易にＬＥＤの照明装置に取り換えられるようにしているものではない。
【先行技術文献】
【特許文献】
【０００５】
【特許文献１】特開２０１１−１９８４９０号公報（図１〜図３）
【発明の概要】
【発明が解決しようとする課題】
【０００６】
従来のエレベータかごの照明装置は以上のように構成されているので、既設の照明装置の天蓋やフレームなどを撤去しなければ、新たに取り付けることができない。このため、交換工事に要する作業時間が長くなり、エレベータを長時間停止させる必要があるなどの課題があった。
【０００７】
この発明は上記のような課題を解決するためになされたもので、既設の照明装置から短時間で簡単に交換することができるエレベータかごの照明装置及び照明装置の交換方法を得ることを目的とする。
【課題を解決するための手段】
【０００８】
この発明に係るエレベータかごの照明装置は、光源と、光源から出射された光が透過する平板状の照明板と、照明板の周囲を把持する照明板枠体部と、照明板枠体部を跨ぐように両端が照明板枠体部に支持されており、光源を保持する光源保持部とを備え、照明板枠体部は、天蓋及びフレームを含む既設の照明装置における照明板を保持する用途で、フレームに取り付けられている照明板保持具と嵌合可能なサイズで形成されるとともに、照明板枠体部及び光源保持部は、既設の照明装置の天蓋とフレームとの空間にフレーム側から挿入可能であるようにしたものである。
【発明の効果】
【０００９】
この発明によれば、照明板枠体部が、既設の照明装置における照明板を保持する用途で、照明装置のフレームに取り付けられている照明板保持具と嵌合可能なサイズで形成されているように構成したので、短時間で簡単に照明装置を交換することができる効果がある。
【図面の簡単な説明】
【００１０】
【図１】この発明の実施の形態１によるエレベータかごの照明装置を示す構成図である。
【図２】既設の照明装置を図１の照明装置に交換する手順（照明装置の交換方法）を示す手順フロー図である。
【図３】既設の照明装置のフレーム１０４に取り付けられているバネ固定具１０５を示す斜視図である。
【図４】電源装置５を取り付けることが可能な既設の照明装置の天蓋１０３を示す説明図である。
【図５】電源装置５を示す分解斜視図である。
【図６】プラスチック段ボールで構成されている照明板１を示す断面図である。
【図７】この発明の実施の形態２によるエレベータかごの照明装置を示す構成図である。
【図８】この発明の実施の形態３によるエレベータかごの照明装置を示す構成図である。
【図９】この発明の実施の形態３によるエレベータかごの照明装置の要部を示す構成図である。
【図１０】この発明の実施の形態４によるエレベータかごの照明装置の要部を示す構成図である。
【図１１】この発明の実施の形態５によるエレベータかごの照明装置を示す構成図である。
【図１２】複数の光源４の規則的な配列を示す説明図である。
【発明を実施するための形態】
【００１１】
実施の形態１．
図１はこの発明の実施の形態１によるエレベータかごの照明装置を示す構成図である。
特に、図１（ａ）は照明装置を上から見た平面図、図１（ｂ）は照明装置の側面図、図１（ｃ）は照明装置を下から見た平面図である。
また、図１（ｄ）は照明装置を示す斜視図、図１（ｅ）は図１（ｄ）の照明装置を上下逆している斜視図である。
【００１２】
図１において、照明板１は例えば乳白色樹脂などの半透明素材で構成されており、例えば、ＬＥＤや有機ＥＬなどの光源４から出射された光が拡散しながら透過する平板状のカバーである。
照明板枠体部２は例えばアルミやプラスチックなどの素材で構成されており、照明板１の周囲を把持する部材である。
また、照明板枠体部２は既設の照明装置における照明板を保持する用途で、既設の照明装置のフレームに取り付けられているバネ固定具（照明板保持具）と嵌合可能なサイズで形成されている。
【００１３】
光源保持部３は例えばアルミやプラスチックなどの素材で構成されており、照明板枠体部２を跨ぐように両端が照明板枠体部２に支持されているブリッジ部材であって、１以上の光源４を保持する部材である。
光源４はＬＥＤや有機ＥＬなどの発光体である。
【００１４】
図２は既設の照明装置を図１の照明装置に交換する手順（照明装置の交換方法）を示す手順フロー図である。
以下、図２を参照しながら、照明装置の交換作業を説明する。
図２（ａ）はエレベータのかごに設置されている既設の照明装置を示しており、図において、１０１は照明板、１０２は蛍光灯、１０３は天蓋、１０４はフレーム、１０５はフレーム１０４に取り付けられているバネ固定具（照明板保持具）である。
【００１５】
既設の照明装置が設置されている状態では、図２（ａ）に示すように、照明板１０１がバネ固定具１０５に保持されている。
このとき、図中、左側のバネ固定具１０５は、バネによって照明板１０１を右方向に押圧し、右側のバネ固定具１０５は、バネによって照明板１０１を左方向に押圧している。
交換作業員が、例えば、図２（ｂ）に示すように、バネ固定具１０５のバネの押圧力より大きな力を左方向に加えると、照明板１０１と一緒に、左側のバネ固定具１０５が左方向に移動する。
これにより、図２（ｃ）に示すように、照明板１０１の右端がフレーム１０４と重ならなくなるため、照明板１０１の取り外しが可能になる。
【００１６】
交換作業員は、既設の照明装置から照明板１０１を取り外すと、図２（ｄ）に示すように、蛍光灯１０２の取り外しを行う。
図２の例では、蛍光灯１０２の取り外しを行っているが、蛍光灯１０２を取り外さなくても、新たな照明装置の取付は可能である。
本願発明の照明装置では、既設の照明装置の天蓋１０３やフレーム１０４の撤去は不要であるため、既設の照明装置の撤去作業は、これで完了である。
【００１７】
交換作業員は、既設の照明装置の撤去作業が完了すると、図２（ｆ）に示すように、新たな照明装置（図１の照明装置）の光源４に対する電力供給用の電源装置５を既設の照明装置の天蓋１０３に取り付ける作業を行う（電源装置５の取付作業については後述する）。
このとき、かごの上部には、図２（ｅ）に示すように、既設の主電源１０６（例えば、ビルの配電盤や、エレベータの駆動機構などと接続されており、ビルの配電盤等から電力の供給を受ける電源）が設置されており、電源装置５は、既設の主電源１０６と接続する必要がある。
この電源接続工程は、従来の照明装置でも、本願発明の照明装置でも、必要な工程である。
電源装置５は、主電源１０６から供給される電力の電圧を光源４に適する電圧に変換する等の処理を行う。
【００１８】
交換作業員は、電源装置５を既設の照明装置の天蓋１０３に取り付けると、図２（ｇ）に示すように、図１の照明装置を既設の照明装置におけるフレーム１０４内の空間に挿入し、電源装置５と光源４を電源線で接続する。
交換作業員は、電源装置５と光源４を電源線で接続すると、図２（ｈ）に示すように、図１の照明装置における照明板枠体部２の端部でバネ固定具１０５を押圧しながら、照明板枠体部２が左右のバネ固定具１０５に嵌るようにセットする。
図２（ｉ）は、図１の照明装置の取付が完了している状態を示している。
【００１９】
ここで、図３は既設の照明装置のフレーム１０４に取り付けられているバネ固定具１０５を示す斜視図である。
バネ固定具１０５は、図中、矢印の方向に力が加えられると矢印の方向に移動し、矢印の方向の力が加えられなくなると、バネの復元力によって元の位置に戻る。
なお、１０５ａはバネ固定具１０５の上抑え部である。
【００２０】
図４は電源装置５を取り付けることが可能な既設の照明装置の天蓋１０３を示す説明図である。
また、図５は電源装置５を示す分解斜視図である。
図５において、５ａは電源装置５の本体、５ｂは電源装置５の本体５ａを収納する収納部である。
収納部５ｂの中央の空間は、電源装置５の本体５ａを収納する部分であり、周囲の４個の穴５ｃは、電源装置５を天蓋１０３にネジ止めするための穴である。
４個の穴５ｃの間隔は、天蓋１０３に施されているネジ穴１０３ａ（例えば、蛍光灯１０２や、蛍光灯１０２に電力を供給する電源装置（図示せず）を固定するためのネジ穴）の間隔に合わせて施されている。
このため、収納部５ｂの穴５ｃの位置を、天蓋１０３に施されているネジ穴１０３ａの位置に合わせれば、電源装置５を天蓋１０３にネジ止めすることが可能になる。
【００２１】
以上で明らかなように、この実施の形態１によれば、照明板枠体部２が、既設の照明装置における照明板１０１を保持する用途で、上記照明装置のフレーム１０４に取り付けられているバネ固定具１０５と嵌合可能なサイズで形成されているように構成したので、短時間で簡単に照明装置を交換することができる効果を奏する。
即ち、この実施の形態１によれば、既設の照明装置における天蓋１０３やフレーム１０４の撤去を行うことなく、新たな照明装置を簡単に取り付けることができるため、短時間で交換工事を完了することができる。
【００２２】
また、この実施の形態１によれば、光源４に電力を供給する電源装置５を既設の照明装置に施されているネジ穴１０３ａに固定するように構成したので、電源装置５を固定するためのネジ穴加工を行うことなく、電源装置５を天蓋１０３に固定することができる効果を奏する。
【００２３】
この実施の形態１では、照明板１が、乳白色樹脂などの半透明素材で構成されているものを示したが、照明板１としては、光を拡散させながら透過するものであって、外部から光源保持部３や光源４が直接見えないような素材であればよい。
例えば、図６に示すように、半透明のプラスチックで構成されている波形状の部材１１と、波形状の部材１１の上面に接着されている半透明のプラスチック板１２と、波形状の部材１１の下面に接着されている半透明のプラスチック板１３とから構成されているプラスチック段ボールを照明板１として利用してもよい。
このようなプラスチック段ボールは、強度が高く、重量が軽いという特徴を有している。
【００２４】
この実施の形態１では、既設の照明装置のフレーム１０４に取り付けられているバネ固定具１０５と嵌合可能なサイズで形成されている照明板枠体部２について示したが、バネ固定具１０５を用いて、図１の照明装置を既設の照明装置のフレーム１０４に取り付けるには、照明板１及び照明板枠体部２の厚みが、バネ固定具１０５の上抑え部１０５ａとフレーム１０４間の隙間より薄い必要がある（図３を参照）。
また、図１の照明装置を既設の照明装置のフレーム１０４に取り付ける際、フレーム１０４の間口が、図１の照明装置の横方向の寸法より短いため、図２（ｇ）に示すように、図１の照明装置を斜めにして、フレーム１０４の間口から挿入する必要がある。
このとき、図１の照明装置の上部が天蓋１０３と接触することなく、フレーム１０４の間口から挿入できるようにするため、フレーム１０４の間口から天蓋１０３までの距離を考慮して、図１の照明装置の全体の厚みが設計されている必要がある。
【００２５】
実施の形態２．
図７はこの発明の実施の形態２によるエレベータかごの照明装置を示す構成図である。
特に、図７（ａ）は照明装置を上から見た平面図、図７（ｂ）は照明装置の側面図、図７（ｃ）は照明装置を下から見た平面図である。
また、図７（ｄ）は照明装置を示す斜視図、図７（ｅ）は図７（ｄ）の照明装置を上下逆している斜視図である。
【００２６】
図７において、図１と同一符号は同一または相当部分を示すので説明を省略する。
収納体２１は例えばアルミやプラスチックなどの素材で構成されており、照明板１の周囲を把持する枠体２１ａと、光源４を保持する平板２１ｂとを有している箱状のケースである。
また、収納体２１の枠体２１ａは既設の照明装置における照明板を保持する用途で、既設の照明装置のフレーム１０４に取り付けられているバネ固定具１０５と嵌合可能なサイズで形成されている。
【００２７】
上記実施の形態１における図１の照明装置では、照明板１の周囲を把持する照明板枠体部２と、光源４を保持する光源保持部３とを備えているものを示したが、その照明板枠体部２と光源保持部３が一体的に形成されているものであってもよい。
この実施の形態２では、照明板枠体部２に相当する枠体２１ａと、光源保持部３に相当する平板２１ｂとが一体的に形成されている箱状の収納体２１を備えるようにしている。
【００２８】
既設の照明装置を図７の照明装置に交換する手順は、上記実施の形態１と同様であるため説明を省略するが、バネ固定具１０５を用いて、図７の照明装置を既設の照明装置のフレーム１０４に取り付けるには、収納体２１の枠体２１ａの厚みが、バネ固定具１０５の上抑え部１０５ａとフレーム１０４間の隙間より薄い必要がある。
また、図７の照明装置を既設の照明装置のフレーム１０４に取り付ける際、フレーム１０４の間口が、図７の照明装置の横方向の寸法より短いため、図２（ｇ）に示すように、図７の照明装置を斜めにして、フレーム１０４の間口から挿入する必要がある。
このとき、図７の照明装置の上部が天蓋１０３と接触することなく、フレーム１０４の間口から挿入できるようにするため、フレーム１０４の間口から天蓋１０３までの距離を考慮して、図７の照明装置の全体の厚み（収納体２１の厚み）が設計されている必要がある。
【００２９】
以上で明らかなように、この実施の形態２によれば、収納体２１の枠体２１ａが、既設の照明装置における照明板１０１を保持する用途で、上記照明装置のフレーム１０４に取り付けられているバネ固定具１０５と嵌合可能なサイズで形成されているように構成したので、短時間で簡単に照明装置を交換することができる効果を奏する。
即ち、この実施の形態２によれば、既設の照明装置における天蓋１０３やフレーム１０４の撤去を行うことなく、新たな照明装置を簡単に取り付けることができるため、短時間で交換工事を完了することができる。
【００３０】
実施の形態３．
図８はこの発明の実施の形態３によるエレベータかごの照明装置を示す構成図である。
特に、図８（ａ）は照明装置を上から見た平面図、図８（ｂ）は照明装置の側面図、図８（ｃ）は照明装置を下から見た平面図である。
また、図８（ｄ）は照明装置を示す斜視図、図８（ｅ）は図８（ｄ）の照明装置を上下逆している斜視図である。
図９はこの発明の実施の形態３によるエレベータかごの照明装置の要部を示す構成図である。
【００３１】
図８及び図９において、図１と同一符号は同一または相当部分を示すので説明を省略する。
導光板３１は例えばアクリル素材で構成されており、アクリル板の表面に特殊な加工が施されている部材である。
導光板３１は光源４から出射された光が端面３１ａから入射されると、その光を拡散させて表面３１ｂから均一な光を発光する。
裏面３１ｃは例えばアルミなどから構成されている反射板である。
【００３２】
導光板枠体部３２は例えばアルミやプラスチックなどの素材で構成されており、導光板３１の周囲を把持するとともに、光源４を保持する部材である。
また、導光板枠体部３２は既設の照明装置における照明板を保持する用途で、既設の照明装置のフレーム１０４に取り付けられているバネ固定具１０５と嵌合可能なサイズで形成されている。
【００３３】
上記実施の形態１における図１の照明装置では、光源４を保持するブリッジ形状の光源保持部３を備えているものを示したが、光源４が照明板１と接触しないように、光源４を保持するには、光源保持部３が、ある程度の厚みを有している必要がある。
この実施の形態３では、表面３１ｂから均一な光を発光する導光板３１を備えることで、光源保持部３を不要にして、照明装置の薄型化を図っている。
【００３４】
既設の照明装置を図８の照明装置に交換する手順は、上記実施の形態１と同様であるため説明を省略するが、バネ固定具１０５を用いて、図８の照明装置を既設の照明装置のフレーム１０４に取り付けるには、導光板枠体部３２の厚みが、バネ固定具１０５の上抑え部１０５ａとフレーム１０４間の隙間より薄い必要がある。
また、図８の照明装置を既設の照明装置のフレーム１０４に取り付ける際、フレーム１０４の間口が、図８の照明装置の横方向の寸法より短いため、図２（ｇ）に示すように、図８の照明装置を斜めにして、フレーム１０４の間口から挿入する必要がある。
このとき、図８の照明装置の上部が天蓋１０３と接触することなく、フレーム１０４の間口から挿入できるようにするため、フレーム１０４の間口から天蓋１０３までの距離を考慮して、図８の照明装置の全体の厚みが設計されている必要がある。
【００３５】
以上で明らかなように、この実施の形態３によれば、導光板枠体部３２が、既設の照明装置における照明板１０１を保持する用途で、上記照明装置のフレーム１０４に取り付けられているバネ固定具１０５と嵌合可能なサイズで形成されているように構成したので、短時間で簡単に照明装置を交換することができる効果を奏する。
即ち、この実施の形態３によれば、既設の照明装置における天蓋１０３やフレーム１０４の撤去を行うことなく、新たな照明装置を簡単に取り付けることができるため、短時間で交換工事を完了することができる。
【００３６】
実施の形態４．
上記実施の形態３では、表面３１ｂから均一な光を発光する導光板３１と、導光板３１の周囲を把持する導光板枠体部３２とを備えているものを示したが、図１０に示すように、例えば、有機ＥＬのような平板状の光源３３を使用しても、上記実施の形態３と同様に、照明装置の薄型化を図ることができる。
この場合、バネ固定具１０５を用いて、新たな照明装置を既設の照明装置のフレーム１０４に取り付けるには、光源４が組み込まれている導光板３３の厚みが、バネ固定具１０５の上抑え部１０５ａとフレーム１０４間の隙間より薄い必要がある。
なお、３３ａは均一な光を発光する表面、３３ｂは構造保持である裏面である。
【００３７】
実施の形態５．
図１１はこの発明の実施の形態５によるエレベータかごの照明装置を示す構成図である。
特に、図１１（ａ）は照明装置を上から見た平面図、図１１（ｂ）は照明装置の側面図、図１１（ｃ）は照明装置を下から見た平面図である。
また、図１１（ｄ）は照明装置を示す斜視図、図１１（ｅ）は図１１（ｄ）の照明装置を上下逆している斜視図である。
【００３８】
図１１の例では、光源４が組み込まれている光源部品３３が複数個、平板状構造部４０に組み込まれているものを示している。
平板状構造部４０は例えばアルミやプラスチックなどで構成されている光源部品３３の保持部材である。
この場合、バネ固定具１０５を用いて、図１１の照明装置を既設の照明装置のフレーム１０４に取り付けるには、平板状構造部４０の厚みが、バネ固定具１０５の上抑え部１０５ａとフレーム１０４間の隙間より薄い必要がある。
【００３９】
この実施の形態５によれば、エレベータのかごの大きさや形状に合わせて、平板状構造部４０に対する複数の光源部品３３の配列を決定すれば、エレベータのかごの大きさや形状に関わらず、同一の光源部品を用いることができる。
【００４０】
実施の形態６．
上記実施の形態１では、複数の光源保持部３が光源４を保持し、上記実施の形態２では、収納体２１の平板２１ｂが複数の光源４を保持するものを示したが、通常、複数の光源４は、規則的な配列で保持される。
複数の光源４を規則的な配列で保持するに際して、図１２に示すように、隣り合う光源４間の距離ａが、最も端部側に配置される光源４から端部までの距離ｂの２倍であるように配列してもよい。
ａ＝２×ｂ
【００４１】
これにより、複数の照明装置が配列される場合でも、均一な光をかご室内に提供することができる。
図１２（ａ）では、長方形の照明装置を４個並列に並べている例を示し、図１２（ｂ）では、概ね正方形の照明装置を田の字型に並べている例を示している。
照明装置の並べ方は特に問うものではなく、エレベータのかごの大きさや形状に合わせて配列すればよい。
【００４２】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４３】
１  照明板、２  照明板枠体部、３  光源保持部、４  光源、５  電源装置、５ａ  電源装置の本体、５ｂ  収納部、５ｃ  穴、１１  波形状の部材、１２，１３  プラスチック板、２１  収納体、２１ａ  枠体、２１ｂ  平板、３１  導光板、３１ａ  端面、３１ｂ  表面、３１ｃ  裏面、３２  導光板枠体部、３３  光源部品、３３ａ  表面、３３ｂ  裏面、４０  平板状構造部、１０１  照明板、１０２  蛍光灯、１０３  天蓋、１０３ａ  ネジ穴、１０４  フレーム、１０５  バネ固定具（照明板保持具）、１０５ａ  上抑え部、１０６  主電源。
【図１】
0005791831.tif 000002
【図２】
0005791831.tif 000003
【図３】
0005791831.tif 000004
【図４】
0005791831.tif 000005
【図５】
0005791831.tif 000006
【図６】
0005791831.tif 000007
【図７】
0005791831.tif 000008
【図８】
0005791831.tif 000009
【図９】
0005791831.tif 000010
【図１０】
0005791831.tif 000011
【図１１】
0005791831.tif 000012
【図１２】
0005791831.tif 000013